【手続補正書】
【提出日】平成19年9月27日(2007.9.27)
【手続補正１】
【補正対象書類名】明細書
【補正対象項目名】特許請求の範囲
【補正方法】変更
【補正の内容】
【特許請求の範囲】
【請求項１】  空気調和機の室内空気の風路にあって、この風路の吸込口側に設けられ、前記吸込口から吸い込まれた室内空気を清浄する空気調和機の空気清浄装置において、前記空気清浄装置が、前記風路内の入口側に設けられ、前記室内空気の綿ホコリや大粒子異物を捕るプレフィルタと、このプレフィルタに覆われて下流側に設けられ、中粒子異物や小粒子異物を捕る空気清浄フィルタと、を備え、前記空気清浄フィルタが、帯電不織布と表裏異極基材との積層物から形成されたハニカム構造をなし、該ハニカム構造が、前記帯電不織布の毛羽立った面で形成された帯電コアと、前記表裏異極基材のプラス電極面とマイナス電極面とのみで形成された電極コアとを具備したことを特徴とする空気調和機の空気清浄装置。
【請求項２】  前記帯電コアと前記電極コアとが交互に配置されたことを特徴とする請求項１に記載の空気調和機の空気清浄装置。
【請求項３】  前記帯電コアの開口面積が、前記電極コアの開口面積以上となるように構成されたことを特徴とする請求項１に記載の空気調和機の空気清浄装置。
【請求項４】  前記不織布に抗菌剤が含浸されたことを特徴とする請求項１に記載の空気調和機の空気清浄装置。
【請求項５】  前記ハニカム構造の厚さが、５ｍｍ以上１５ｍｍ以下となるように構成されたことを特徴とする請求項１に記載の空気調和機の空気清浄装置。
【請求項６】  前記ハニカム構造の前記帯電コアと前記電極コアの開口が、前記吸込口の室内空気の流入角度に対してほぼ垂直となるように設置されたことを特徴とする請求項１に記載の空気調和機の空気清浄装置。
【請求項７】  前記ハニカム構造が、前記吸込口と平行に設置されても、前記帯電コアと前記電極コアの開口が前記室内空気の流入角度に対してほぼ垂直となるように前記ハニカム構造の上下端面の少なくともいずれかが斜めにスライスされたことを特徴とする請求項１に記載の空気調和機の空気清浄装置。
【請求項８】  前記ハニカム構造の外形寸法が、前記吸込口の外形寸法よりも３％ないし５％小さくなるように構成されたことを特徴とする請求項１に記載の空気調和機の空気清浄装置。
【請求項９】  前記空気調和機が、貫流送風機と、この貫流送風機を囲むように設けられ、前記空気清浄フィルタを通過した室内空気を冷却する前面熱交換器、上面熱交換器、及び背面熱交換器と、を備えるとともに、前記吸込口が前記空気調和機の本体の前面及び上面に形成され、前記空気清浄フィルタは、前記空気調和機の本体の前面吸込口から挿脱できるように前記各熱交換器の側断面配置形状又は前記吸込口の配置に応じて分割されたことを特徴とする請求項１に記載の空気調和機の空気清浄装置。
【請求項１０】  プラズマを発生するプラズマ荷電部とこのプラズマ荷電部の下流側に設けられ、活性炭又は光触媒からなる脱臭フィルタとで構成される脱臭機構を備え、前記脱臭フィルタが、前記空気清浄フィルタと連通するようにほぼ直列に配置されたことを特徴とする請求項１に記載の空気調和機の空気清浄装置。
【請求項１１】  前記プラズマ荷電部が、前記空気清浄フィルタの上流側に位置するように配置されたことを特徴とする請求項１０に記載の空気調和機の空気清浄装置。
【請求項１２】  前記空気調和機の本体パネルの外表面に設けられ、前記空気清浄フィルタの目詰まり状態を表示する表示手段を備えたことを特徴とする請求項１に記載の空気調和機の空気清浄装置。
【手続補正２】
【補正対象書類名】明細書
【補正対象項目名】００１４
【補正方法】変更
【補正の内容】
【００１４】
【課題を解決するための手段】
この発明に係る空気調和機の空気清浄装置においては、空気調和機の室内空気の風路にあって、この風路の吸込口側に設けられ、吸込口から吸い込まれた室内空気を清浄する空気調和機の空気清浄装置において、空気清浄装置が、風路内の入口側に設けられ、室内空気の綿ホコリや大粒子異物を捕るプレフィルタと、このプレフィルタに覆われて下流側に設けられ、中粒子異物や小粒子異物を捕る空気清浄フィルタと、を備え、空気清浄フィルタが、帯電不織布と表裏異極基材との積層物から形成されたハニカム構造をなし、該ハニカム構造が、帯電不織布の毛羽立った面で形成された帯電コアと、表裏異極基材のプラス電極面とマイナス電極面とのみで形成された電極コアとを具備したものである。
【手続補正３】
【補正対象書類名】明細書
【補正対象項目名】００１５
【補正方法】変更
【補正の内容】
【００１５】
また、帯電コアと電極コアとが交互に配置されたものである。
【手続補正４】
【補正対象書類名】明細書
【補正対象項目名】００１６
【補正方法】変更
【補正の内容】
【００１６】
また、帯電コアの開口面積が、電極コアの開口面積以上となるように構成されたものである。
【手続補正５】
【補正対象書類名】明細書
【補正対象項目名】００１７
【補正方法】変更
【補正の内容】
【００１７】
また、不織布に抗菌剤が含浸されたものである。
【手続補正６】
【補正対象書類名】明細書
【補正対象項目名】００１８
【補正方法】変更
【補正の内容】
【００１８】
また、ハニカム構造の厚さが、５ｍｍ以上１５ｍｍ以下となるように構成されたものである。
【手続補正７】
【補正対象書類名】明細書
【補正対象項目名】００１９
【補正方法】変更
【補正の内容】
【００１９】
また、ハニカム構造の帯電コアと電極コアの開口が、吸込口の室内空気の流入角度に対してほぼ垂直となるように設置されたものである。
【手続補正８】
【補正対象書類名】明細書
【補正対象項目名】００２０
【補正方法】変更
【補正の内容】
【００２０】
また、ハニカム構造が、吸込口と平行に設置されても、帯電コアと電極コアの開口が室内空気の流入角度に対してほぼ垂直となるようにハニカム構造の上下端面の少なくともいずれかが斜めにスライスされたものである。
【手続補正９】
【補正対象書類名】明細書
【補正対象項目名】００２１
【補正方法】変更
【補正の内容】
【００２１】
また、ハニカム構造の外形寸法が、吸込口の外形寸法よりも３％ないし５％小さくなるように構成されたものである。
【手続補正１０】
【補正対象書類名】明細書
【補正対象項目名】００２２
【補正方法】変更
【補正の内容】
【００２２】
また、空気調和機が、貫流送風機と、この貫流送風機を囲むように設けられ、空気清浄フィルタを通過した室内空気を冷却する前面熱交換器、上面熱交換器、及び背面熱交換器と、を備えるとともに、吸込口が空気調和機の本体の前面及び上面に形成され、空気清浄フィルタは、空気調和機の本体の前面吸込口から挿脱できるように各熱交換器の側断面配置形状又は吸込口の配置に応じて分割されたものである。
【手続補正１１】
【補正対象書類名】明細書
【補正対象項目名】００２３
【補正方法】変更
【補正の内容】
【００２３】
また、プラズマを発生するプラズマ荷電部とこのプラズマ荷電部の下流側に設けられ、活性炭又は光触媒からなる脱臭フィルタとで構成される脱臭機構を備え、脱臭フィルタが、空気清浄フィルタと連通するようにほぼ直列に配置されたものである。
【手続補正１２】
【補正対象書類名】明細書
【補正対象項目名】００２４
【補正方法】変更
【補正の内容】
【００２４】
また、プラズマ荷電部が、空気清浄フィルタの上流側に位置するように配置されたものである。
【手続補正１３】
【補正対象書類名】明細書
【補正対象項目名】００２５
【補正方法】変更
【補正の内容】
【００２５】
また、空気調和機の本体パネルの外表面に設けられ、空気清浄フィルタの目詰まり状態を表示する表示手段を備えたものである。
【手続補正１４】
【補正対象書類名】明細書
【補正対象項目名】００５３
【補正方法】変更
【補正の内容】
【００５３】
【発明の効果】
以上説明したように、この発明においては、空気調和機の室内空気の風路にあって、この風路の吸込口側に設けられ、吸込口から吸い込まれた室内空気を清浄する空気調和機の空気清浄装置において、空気清浄装置が、風路内の入口側に設けられ、室内空気の綿ホコリや大粒子異物を捕るプレフィルタと、このプレフィルタに覆われて下流側に設けられ、中粒子異物や小粒子異物を捕る空気清浄フィルタと、を備え、空気清浄フィルタが、帯電不織布と表裏異極基材との積層物から形成されたハニカム構造をなし、該ハニカム構造が、帯電不織布の毛羽立った面で形成された帯電コアと、表裏異極基材のプラス電極面とマイナス電極面とのみで形成された電極コアとを具備したので、風量低下による熱交換器性能の低下を防止しながら、綿ごみ等の大きな粒子から煙等の小さな粒子の異物までをバランス良く捕獲する信頼性の高い空気調和機の空気清浄装置が得られる。
【手続補正１５】
【補正対象書類名】明細書
【補正対象項目名】００５４
【補正方法】変更
【補正の内容】
【００５４】
また、帯電コアと電極コアとが交互に配置されたので、ダニの死骸等の中粒子異物と花粉やタバコの煙等の小さい粒子の異物をバランス良く確実に捕獲する信頼性の高い空気調和機の空気清浄装置が得られる。
【手続補正１６】
【補正対象書類名】明細書
【補正対象項目名】００５５
【補正方法】変更
【補正の内容】
【００５５】
また、帯電コアの開口面積が、電極コアの開口面積以上となるように構成されたので、帯電コアの目詰まりを防止しながら、電極コアの捕獲能力を向上させて空気清浄性能を長く持続する空気調和機の空気清浄装置が得られる。
【手続補正１７】
【補正対象書類名】明細書
【補正対象項目名】００５６
【補正方法】変更
【補正の内容】
【００５６】
また、不織布に抗菌剤が含浸されたので、ムラなく含浸され、捕獲物によるカビの発生を長時間抑制するため、悪臭のしない空気調和機の空気清浄装置が得られる。
【手続補正１８】
【補正対象書類名】明細書
【補正対象項目名】００５７
【補正方法】変更
【補正の内容】
【００５７】
また、ハニカム構造の厚さが、５ｍｍ以上１５ｍｍ以下となるように構成されたので、風量低下による熱交換器性能の低下を防止しながら、捕集効率が良くなるため、信頼性の高い空気調和機の空気清浄装置が得られる。
【手続補正１９】
【補正対象書類名】明細書
【補正対象項目名】００５８
【補正方法】変更
【補正の内容】
【００５８】
また、ハニカム構造の帯電コアと電極コアの開口が、吸込口の室内空気の流入角度に対してほぼ垂直となるように設置されたので、風量低下による熱交換器性能の低下を防止しながら、捕集効率の良い空気調和機の空気清浄装置が得られる。
【手続補正２０】
【補正対象書類名】明細書
【補正対象項目名】００５９
【補正方法】変更
【補正の内容】
【００５９】
また、ハニカム構造が、吸込口と平行に設置されても、帯電コアと電極コアの開口が室内空気の流入角度に対してほぼ垂直となるようにハニカム構造の上下端面の少なくともいずれかが斜めにスライスされたので、据付けスペースが少なく、熱交換器性能が良く、捕集効率が良い空気調和機の空気清浄装置が得られる。
【手続補正２１】
【補正対象書類名】明細書
【補正対象項目名】００６０
【補正方法】変更
【補正の内容】
【００６０】
また、ハニカム構造の外形寸法が、吸込口の外形寸法よりも３％ないし５％小さくなるように構成されたので、ハニカム構造のフィルタが目詰まりしても、サージング現象を起さない空気調和機の空気清浄装置が得られる。
【手続補正２２】
【補正対象書類名】明細書
【補正対象項目名】００６１
【補正方法】変更
【補正の内容】
【００６１】
また、空気調和機が、貫流送風機と、この貫流送風機を囲むように設けられ、空気清浄フィルタを通過した室内空気を冷却する前面熱交換器、上面熱交換器、及び背面熱交換器と、を備えるとともに、吸込口が空気調和機の本体の前面及び上面に形成され、空気清浄フィルタは、空気調和機の本体の前面吸込口から挿脱できるように各熱交換器の側断面配置形状又は吸込口の配置に応じて分割されたので、挿脱性の良い空気調和機の空気清浄装置が得られる。
【手続補正２３】
【補正対象書類名】明細書
【補正対象項目名】００６２
【補正方法】変更
【補正の内容】
【００６２】
また、プラズマを発生するプラズマ荷電部とこのプラズマ荷電部の下流側に設けられ、活性炭又は光触媒からなる脱臭フィルタとで構成される脱臭機構を備え、脱臭フィルタが、空気清浄フィルタと連通するようにほぼ直列に配置されたので、室内空気の悪臭も継続的に捕獲する優れた空気調和機の空気清浄装置が得られる。
【手続補正２４】
【補正対象書類名】明細書
【補正対象項目名】００６３
【補正方法】変更
【補正の内容】
【００６３】
また、プラズマ荷電部が、空気清浄フィルタの上流側に位置するように配置されたので、空気清浄フィルタへ帯電クーロン力が付加され、誘起力が増すため、集塵効率が向上した空気調和機の空気清浄装置が得られる。
【手続補正２５】
【補正対象書類名】明細書
【補正対象項目名】００６４
【補正方法】変更
【補正の内容】
【００６４】
また、空気調和機の本体パネルの外表面に設けられ、空気清浄フィルタの目詰まり状態を表示する表示手段を備えたので、使用者に空気清浄フィルタの交換時期が解りやすくなるため、使い易い空気調和機の空気清浄装置が得られる。